【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
ａ．外壁から空間で隔てられて前記外壁と内壁との間に空間を画成する前記内壁を有する二重壁構築体を備える外シュラウドと、
ｂ．前記外シュラウドと内シュラウドとの間に流体通路を画成する、前記外シュラウドから半径方向に離隔された内シュラウドと、
ｃ．前記外シュラウドと前記内シュラウドとの間に固定され、前記外シュラウドと前記内シュラウドとの間に延在し、外面、前縁、後縁、第一の側面及び第二の側面を有するストラットと、
ｄ．前記ストラットの半径方向スパンに沿って配置され、前記ストラット外面から外向きに延在する少なくとも一つのタービュレータであって、前記ストラットの前記前縁を横断して前記ストラットの前記第一の側面から前記第二の側面まで延在する少なくとも一つのタービュレータと、
を備え、
ｅ．前記少なくとも一つのタービュレータは、前記ストラットの空力損失を軽減し、前記内シュラウドおよび前記外シュラウドは、ガスタービンのタービン部から接線流れ角で排気ディフューザに流入する燃焼排ガスの流れ剥離を生じさせる、
排気ディフューザ。
【請求項２】
前記少なくとも一つのタービュレータは、前記ストラット第一の側面から第一の幅で、前記ストラット第二の側面から第二の幅で、また前記ストラット前縁から第三の幅で、外向きに延在している、請求項１に記載の排気ディフューザ。
【請求項３】
前記第一の幅及び前記第二の幅は非対称である、請求項２に記載の排気ディフューザ。
【請求項４】
前記第三の幅は前記第一の幅又は前記第二の幅の少なくとも一方よりも小さい、請求項２に記載の排気ディフューザ。
【請求項５】
前記少なくとも一つのタービュレータは、前記ストラットの前記前縁から前記後縁に向かって、前記ストラットの前記第一の側面を横断して第一の距離に、また前記ストラットの前記第二の側面を横断して第二の距離に延在している、請求項１に記載の排気ディフューザ。
【請求項６】
前記少なくとも一つのタービュレータは、少なくとも部分的に前記ストラットの前記前縁と前記後縁との間で前記ストラットの前記前縁に対して垂直な角度で延在している、請求項１に記載の排気ディフューザ。
【請求項７】
前記少なくとも一つのタービュレータは、少なくとも部分的に前記ストラットの前記前縁と前記後縁との間で前記ストラットの前記前縁に対して鋭角又は鈍角である角度で延在している、請求項１に記載の排気ディフューザ。
【請求項８】
ａ．外壁から空間で隔てられて前記外壁と内壁との間に空間を画成する前記内壁を有する二重壁構築体を備える外シュラウドと、
ｂ．前記外シュラウド及び内シュラウドとの間に流体通路を画成するように、前記外シュラウドから半径方向に離隔された内シュラウドと、
ｃ．前記外シュラウドと前記内シュラウドとの間に固定され、前記外シュラウドと前記内シュラウドとの間に延在して、外面、前縁、後縁、第一の側面及び第二の側面を有するストラットと、
ｄ．該ストラットの半径方向スパンに沿って配置されて、前記ストラット外面からから外向きに延在する少なくとも一つのタービュレータであって、前記ストラットの前記第一の側面に沿って配設された第一の側面部分、前記ストラットの前記第二の側面に沿って配設された第二の側面部分、及び前記ストラットの前記前縁に沿って配設された前縁部分を有し、前記第一の側面部分、前記第二の側面部分及び前記前縁部分は連続している、少なくとも一つのタービュレータと
を備え、
ｅ．前記少なくとも一つのタービュレータは、ガスタービンのタービン部から接線流れ角で排気ディフューザに流入する燃焼排ガスの流れ剥離を生じさせる流路内で、前記ストラットの空力損失を軽減する、
排気ディフューザ。
【請求項９】
前記少なくとも一つのタービュレータは、前記ストラット第一の側面から第一の幅で、前記ストラット第二の側面から第二の幅で、また前記ストラット前縁から第三の幅で、外向きに延在している、請求項８に記載の排気ディフューザ。
【請求項１０】
前記第一の幅及び前記第二の幅は非対称である、請求項９に記載の排気ディフューザ。
【請求項１１】
前記第三の幅は前記第一の幅又は前記第二の幅の少なくとも一方よりも小さい、請求項９に記載の排気ディフューザ。
【請求項１２】
前記少なくとも一つのタービュレータは、前記ストラットの前記前縁から前記後縁に向かって、前記ストラットの前記第一の側面を横断して第一の距離に、また前記ストラットの前記第二の側面を横断して第二の距離に延在している、請求項８に記載の排気ディフューザ。
【請求項１３】
前記少なくとも一つのタービュレータは、少なくとも部分的に前記ストラットの前記前縁と前記後縁との間で前記ストラットの前記前縁に対して垂直な角度で延在している、請求項８に記載の排気ディフューザ。
【請求項１４】
前記少なくとも一つのタービュレータは、少なくとも部分的に前記ストラットの前記前縁と前記後縁との間で前記ストラットの前記前縁に対して鋭角又は鈍角である角度で延在している、請求項８に記載の排気ディフューザ。
【請求項１５】
ａ．圧縮機部と、
ｂ．該圧縮機部の下流側の少なくとも一つの燃焼器と、
ｃ．該少なくとも一つの燃焼器の下流側のタービン部と、
ｄ．該タービン部の下流側の排気ディフューザと、
を備えたガス・タービンであって、
前記排気ディフューザは、内シュラウドと、該内シュラウドを少なくとも部分的に包囲している外シュラウドと、前記内外シュラウドの間に延在している複数のストラットとを有しており、
前記外シュラウドは、外壁から空間で隔てられて前記外壁と内壁との間に空間を画成する前記内壁を有する二重壁構築体を備え、該複数のストラットの各々が外面、前縁、後縁、第一の側面及び第二の側面を有し、
該複数のストラットのそれぞれは、前記外シュラウドと前記内シュラウドとの間に固定され、
ｅ．前記複数のストラットの少なくとも一つのストラットは、当該少なくとも一つのストラットの半径方向スパンに沿って配置された少なくとも一つのタービュレータを含んでおり、該少なくとも一つのタービュレータは、前記外面から外向きに延在し、前記少なくとも一つのストラットの前記前縁を横断して前記第一の側面から前記第二の側面まで延在し、
ｆ．前記少なくとも一つのタービュレータは、前記ストラットの空力損失を軽減し、前記内シュラウドおよび前記外シュラウドは、ガスタービンのタービン部から接線流れ角で排気ディフューザに流入する燃焼排ガスの流れ剥離を生じさせる、
ガス・タービン。
【請求項１６】
前記少なくとも一つのタービュレータは、少なくとも部分的に前記少なくとも一つのストラットの前記前縁と前記後縁との間で前記少なくとも一つのストラットの前記前縁に対して鋭角である角度で延在している、請求項１５に記載のガス・タービン。
【請求項１７】
前記少なくとも一つのタービュレータは、少なくとも部分的に前記少なくとも一つのストラットの前記前縁と前記後縁との間で前記少なくとも一つのストラットの前記前縁に垂直な角度で延在している、請求項１５に記載のガス・タービン。
【請求項１８】
前記少なくとも一つのタービュレータは、少なくとも部分的に前記少なくとも一つのストラットの前記前縁と前記後縁との間で前記少なくとも一つのストラットの前記前縁に対して鈍角である角度で延在している、請求項１５に記載のガス・タービン。